(57)【要約】【課題】  多数の監視情報を選択的に表示でき、表示画面上で迅速、且つ、正確な監視操作ができるタスクテーブルを提供する。【解決手段】  テーブル本体２上面に配設されるスクリーン３と、テーブル本体２下部近傍に配設され、スクリーン３に映像を投影するプロジェクター４と、スクリーン３上に超音波を発信し、スクリーン３上で操作される入力用ペン６が反射する超音波を受信して、入力用ペン６の入力位置を検知する超音波入力装置７と、外部電話と接続され、電話音声情報を送受信する電話装置８と、前記プロジェクター４に送信する信号を制御すると共に、前記超音波入力装置７の超音波の発信受信を制御し、且つ、超音波入力装置７が受信した超音波に基づき、入力用ペン６の入力位置を演算し、更に、前記電話装置８の音声入出力信号を制御するコンピュータとを備えたタスクテーブル１を提供する。【選択図】  図１
2006343910.tif 000002
【特許請求の範囲】
【請求項１】
テーブル本体上面に配設されるスクリーンと、テーブル本体下部近傍に配設され、該スクリーンに映像を投影するプロジェクターと、該スクリーン上に超音波を発信し、該スクリーン上で操作される入力用ペンが反射する超音波を受信して、入力用ペンの入力位置を検知する超音波入力装置と、外部電話と接続され、電話音声情報を送受信する電話装置と、前記プロジェクターに送信する信号を制御すると共に、前記超音波入力装置の超音波の発信受信を制御し、且つ、該超音波入力装置が受信した超音波に基づき、入力用ペンの入力位置を演算し、更に、前記電話装置の音声入出力信号を制御するコンピュータとを備えたことを特徴とするタスクテーブル。
【請求項２】
請求項１記載のスクリーンと、プロジェクターと、超音波入力装置と、電話装置と、コンピュータとを備えた監視装置を１組として、テーブル本体に１組又は複数組の該監視装置を備えたことを特徴とするタスクテーブル。
【請求項３】
請求項１記載のスクリーンと、プロジェクターと、超音波入力装置と、電話装置と、コンピュータとを備えた監視装置を１組として、テーブル本体に３組の該監視装置を備え、３組の該監視装置を備えた該テーブル本体を３組隣接させて備えたことを特徴とするタスクテーブル。
【請求項４】
上記超音波入力装置は、スクリーンの外周近傍の互いに離間する位置から超音波を発信し、発信した超音波の反射波を受信する少なくとも３つの超音波発信受信器を備えていることを特徴とする請求項１，２又は３記載のタスクテーブル。
【請求項５】
上記スクリーンは、上記超音波発信受信装置から発信される超音波の外部への漏出を防ぐべく、該スクリーンの外周の略全周に及んで反射帯が形成されていることを特徴とする請求項１，２，３又は４記載のタスクテーブル。
【請求項６】
上記スクリーン上で操作される上記入力用ペンは、超音波を反射する略半球状のゴム体を備えていることを特徴とする請求項１，２，３，４又は５記載のタスクテーブル。
【請求項７】
上記電話装置は、ブルーツースを介して上記コンピュータに無線接続されることを特徴とする請求項１，２，３，４，５又は６記載のタスクテーブル。
【請求項８】
上記コンピュータは、外部警報機器からの警報情報を受信する警報受信手段と、外部Ｗｅｂカメラからの映像情報を受信する映像受信手段と、
該外部Ｗｅｂカメラに姿勢制御信号を送信して該外部Ｗｅｂカメラの姿勢制御を行うＷｅｂカメラ制御手段と、
ＩＰ電話回線と接続して音声情報を送受信する電話送受信手段と、
監視場所の住所、電話等の住所情報が記憶される住所データベースと、
警報に対応した対処マニュアル等の対処情報が記憶される対処マニュアルデータベースと、
前記警報受信手段により警報情報を受信すると、該警報情報に基づき、前記住所データベースから該警報情報に関連する住所情報を抽出する住所情報抽出手段と、
前記警報受信手段により警報情報を受信すると、該警報情報に基づき、前記対処マニュアルデータベースから該警報情報に関連する対処情報を抽出する対処情報抽出手段と、
前記住所情報、前記対処情報、前記外部Ｗｅｂカメラから送信される映像情報、前記外部Ｗｅｂカメラの姿勢制御画面、上記ＩＰ電話操作画面のうちの１つ又は複数を操作者の選択により上記スクリーンに表示させる表示選択手段とを備えたことを特徴とする請求項１，２，３，４，５，６又は７記載のタスクテーブル。
【発明の詳細な説明】
【技術分野】
【０００１】
本発明は、監視情報を表示すると共に、監視操作を行うためのタスクテーブルに関する。
【背景技術】
【０００２】
従来、監視情報を表示すると共に、監視操作を行う装置は監視センター、防犯センター等で広く用いられているが、その場合、監視情報は複数のモニターに表示され、監視操作は操作卓或いはキーボード等で行うことが一般的であり、比較的離れた位置にあるモニターを見ながら操作卓或いはキーボード等を操作する場合、迅速な操作が困難であり、効率が悪く、又、間違いを起こす虞もあった。
【０００３】
そこで、多数の監視情報を１つの画面に選択的に表示して、表示画面上で操作することにより、迅速、且つ、間違いを起こす虞の少ない監視操作ができる監視装置が望まれている。
【０００４】
又、表示画面上で操作することを考慮すると、監視装置をテーブル型にすることも考えられ、その場合、表示装置としてテーブル型ディスプレイを用いる方法も考えられる。
【０００５】
更に、テーブル型ディスプレイとして、プロジェクターの投影によって映像を表示するスクリーンを用いると、テーブルのスペース上の自由度が広がり、テーブルを利用しやすくなり、又、軽量、且つ、安価に製作できる利点がある。
【０００６】
特許文献１は、プロジェクターとスクリーンを用いたテーブル型ディスプレイの１例である。
【特許文献１】特開２００４−１２７１２号公報
【発明の開示】
【発明が解決しようとする課題】
【０００７】
前述したように、多数の監視情報を１つの画面に選択的に表示して、表示画面上で操作することにより、迅速、且つ、間違いを起こす虞の少ない監視操作ができる監視作業テーブルが望まれているが、そのような監視作業テーブルはまだ知られていない。
【０００８】
又、特許文献１記載のスクリーンを用いたテーブル型ディスプレイは、そのまま監視作業卓に利用できるものではない。
【０００９】
以上の現状に鑑み、本発明は、多数の監視情報を選択的に１つの画面に表示でき、表示画面上で迅速、且つ、正確な監視操作ができるタスクテーブルを提供することを目的とする。
【課題を解決するための手段】
【００１０】
上記の課題を解決すべく、本発明は以下の構成を提供する。
請求項１に係る発明は、テーブル本体上面に配設されるスクリーンと、テーブル本体下部近傍に配設され、該スクリーンに映像を投影するプロジェクターと、該スクリーン上に超音波を発信し、該スクリーン上で操作される入力用ペンが反射する超音波を受信して、入力用ペンの入力位置を検知する超音波入力装置と、外部電話と接続され、電話音声情報を送受信する電話装置と、前記プロジェクターに送信する信号を制御すると共に、前記超音波入力装置の超音波の発信受信を制御し、且つ、該超音波入力装置が受信した超音波に基づき、入力用ペンの入力位置を演算し、更に、前記電話装置の音声入出力信号を制御するコンピュータとを備えたことを特徴とするタスクテーブルを提供するものである。
【００１１】
請求項２に係る発明は、請求項１記載のスクリーンと、プロジェクターと、超音波入力装置と、電話装置と、コンピュータとを備えた監視装置を１組として、テーブル本体に１組又は複数組の該監視装置を備えたことを特徴とするタスクテーブルを提供するものである。
【００１２】
請求項３に係る発明は、請求項１記載のスクリーンと、プロジェクターと、超音波入力装置と、電話装置と、コンピュータとを備えた監視装置を１組として、テーブル本体に３組の該監視装置を備え、３組の該監視装置を備えた該テーブル本体を３組隣接させて備えたことを特徴とするタスクテーブルを提供するものである。
【００１３】
請求項４に係る発明は、上記超音波入力装置は、スクリーンの外周近傍の互いに離間する位置から超音波を発信し、発信した超音波の反射波を受信する少なくとも３つの超音波発信受信器を備えていることを特徴とする請求項１，２又は３記載のタスクテーブルを提供するものである。
【００１４】
請求項５に係る発明は、上記スクリーンは、上記超音波発信受信装置から発信される超音波の外部への漏出を防ぐべく、該スクリーンの外周の略全周に及んで反射帯が形成されていることを特徴とする請求項１，２，３又は４記載のタスクテーブルを提供するものである。
【００１５】
請求項６に係る発明は、上記スクリーン上で操作される上記入力用ペンは、超音波を反射する略半球状のゴム体を備えていることを特徴とする請求項１，２，３，４又は５記載のタスクテーブルを提供するものである。
【００１６】
請求項７に係る発明は、上記電話装置は、ブルーツースを介して上記コンピュータに無線接続されることを特徴とする請求項１，２，３，４，５又は６記載のタスクテーブルを提供するものである。
【００１７】
請求項８に係る発明は、上記コンピュータは、外部警報機器からの警報情報を受信する警報受信手段と、外部Ｗｅｂカメラからの映像情報を受信する映像受信手段と、
該外部Ｗｅｂカメラに姿勢制御信号を送信して該外部Ｗｅｂカメラの姿勢制御を行うＷｅｂカメラ制御手段と、
ＩＰ電話回線と接続して音声情報を送受信する電話送受信手段と、
監視場所の住所、電話等の住所情報が記憶される住所データベースと、
警報に対応した対処マニュアル等の対処情報が記憶される対処マニュアルデータベースと、
前記警報受信手段により警報情報を受信すると、該警報情報に基づき、前記住所データベースから該警報情報に関連する住所情報を抽出する住所情報抽出手段と、
前記警報受信手段により警報情報を受信すると、該警報情報に基づき、前記対処マニュアルデータベースから該警報情報に関連する対処情報を抽出する対処情報抽出手段と、
前記住所情報、前記対処情報、前記外部Ｗｅｂカメラから送信される映像情報、前記外部Ｗｅｂカメラの姿勢制御画面、上記ＩＰ電話操作画面のうちの１つ又は複数を操作者の選択により上記スクリーンに表示させる表示選択手段とを備えたことを特徴とする請求項１，２，３，４，５，６又は７記載のタスクテーブルを提供するものである。
【発明の効果】
【００１８】
本発明の請求項１記載の発明によれば、テーブル本体上面に配設されるスクリーンと、テーブル本体下部近傍に配設され、該スクリーンに映像を投影するプロジェクターと、該スクリーン上に超音波を発信し、該スクリーン上で操作される入力用ペンが反射する超音波を受信して、入力用ペンの入力位置を検知する超音波入力装置と、外部電話と接続され、電話音声情報を送受信する電話装置と、前記プロジェクターに送信する信号を制御すると共に、前記超音波入力装置の超音波の発信受信を制御し、且つ、該超音波入力装置が受信した超音波に基づき、入力用ペンの入力位置を演算し、更に、前記電話装置の音声入出力信号を制御するコンピュータとを備えたタスクテーブルを提供するので、監視情報をスクリーン上に表示でき、スクリーン上で操作するため、表示画面上で迅速、且つ、正確な監視操作ができるタスクテーブルを提供できる。
【００１９】
請求項２記載の発明によれば、請求項１記載のスクリーンと、プロジェクターと、超音波入力装置と、電話装置と、コンピュータとを備えた監視装置を１組として、テーブル本体に１組又は複数組の該監視装置を備えたタスクテーブルを提供するので、請求項１記載の発明の効果に加え、１組又は複数の監視装置による監視画面の監視と、監視操作が可能となる。
【００２０】
請求項３記載の発明によれば、請求項１記載のスクリーンと、プロジェクターと、超音波入力装置と、電話装置と、コンピュータとを備えた監視装置を１組として、テーブル本体に３組の該監視装置を備え、３組の該監視装置を備えた該テーブル本体を３組隣接させて備えたタスクテーブルを提供するので、請求項１記載の発明の効果に加え、一人の操作者による３組の監視装置による監視画面の監視と、監視操作が可能となり、３人の操作者により３組のテーブル本体による監視画面の監視と、監視操作が可能となる。
【００２１】
請求項４記載の発明によれば、上記超音波入力装置は、スクリーンの外周近傍の互いに離間する位置から超音波を発信し、発信した超音波の反射波を受信する少なくとも３つの超音波発信受信器を備えているので、請求項１，２又は３記載の発明の効果に加え、３つの超音波発信受信器によって、スクリーン上の入力用ペンの入力位置を検知でき、スクリーン上での入力が可能となる。
【００２２】
請求項５記載の発明によれば、上記スクリーンは、上記超音波発信受信装置から発信される超音波の外部への漏出を防ぐべく、該スクリーンの外周の略全周に及んで反射帯が形成されているので、請求項１，２，３又は４記載の発明の効果に加え、超音波の外部への漏出を防ぐことにより、スクリーン上の入力用ペンの入力位置を正確に検知できる。
【００２３】
請求項６記載の発明によれば、上記スクリーン上で操作される上記入力用ペンは、超音波を反射する略半球状のゴム体を備えているので、請求項１，２，３，４又は５記載の発明の効果に加え、超音波を円滑に反射することができる。
【００２４】
請求項７記載の発明によれば、上記電話装置は、ブルーツースを介して上記コンピュータに無線接続されるので、請求項１，２，３，４，５又は６記載の発明の効果に加え、電話装置を携帯でき、電話装置の通話可能移動範囲が拡大すると共に、利便性が高まる。
【００２５】
請求項８記載の発明によれば、上記コンピュータは、外部警報機器からの警報情報を受信する警報受信手段と、外部Ｗｅｂカメラからの映像情報を受信する映像受信手段と、
該外部Ｗｅｂカメラに姿勢制御信号を送信して該外部Ｗｅｂカメラの姿勢制御を行うＷｅｂカメラ制御手段と、
ＩＰ電話回線と接続して音声情報を送受信する電話送受信手段と、
監視場所の住所、電話等の住所情報が記憶される住所データベースと、
警報に対応した対処マニュアル等の対処情報が記憶される対処マニュアルデータベースと、
前記警報受信手段により警報情報を受信すると、該警報情報に基づき、前記住所データベースから該警報情報に関連する住所情報を抽出する住所情報抽出手段と、
前記警報受信手段により警報情報を受信すると、該警報情報に基づき、前記対処マニュアルデータベースから該警報情報に関連する対処情報を抽出する対処情報抽出手段と、
前記住所情報、前記対処情報、前記外部Ｗｅｂカメラから送信される映像情報、前記外部Ｗｅｂカメラの姿勢制御画面、上記ＩＰ電話操作画面のうちの１つ又は複数を操作者の選択により上記スクリーンに表示させる表示選択手段とを備えたので、請求項１，２，３，４，５，６又は７記載の発明の効果に加え、１つのスクリーン画面上に多数の監視情報を選択切り替えしながら表示できると共に、スクリーン上で迅速な監視操作ができるタスクテーブルを提供できる。
【発明を実施するための最良の形態】
【００２６】
以下、実施例を示した図面を参照しつつ本発明の実施の形態を説明する。
図１に於いて、１は本発明の監視作業用のタスクテーブルであり、タスクテーブル１は、テーブル本体２上面に配設されるスクリーン３と、テーブル本体２下部近傍に配設され、スクリーン３に映像を投影するプロジェクター４と、スクリーン３上に超音波を発信し、スクリーン３上で操作者５によって操作される入力用ペン６が反射する超音波を受信して、入力用ペン６の入力位置を検知する超音波入力装置７と、外部電話（図示せず）と接続され、電話音声情報を送受信する電話装置８と、前記プロジェクター４に送信する信号を制御すると共に、前記超音波入力装置７の超音波の発信受信を制御し、且つ、超音波入力装置７が受信した超音波に基づき、入力用ペン６の入力位置を演算し、更に、前記電話装置８の音声入出力信号を制御する後述するコンピュータ（図示せず）とを備えている。
【００２７】
尚、コンピュータは、テーブル本体２に配置された各機器に適宜接続されて、テーブル本体２から離間する位置に配備されている。
【００２８】
そして、前記スクリーン３と、前記プロジェクター４と、前記超音波入力装置７と、前記電話装置８と、前記コンピュータとで、監視装置９を構成している。
【００２９】
尚、前記電話装置８は、耳掛け式のマイク付イヤホン型電話器であり、後述する無線通信装置を介してブルーツースにより前記コンピュータと無線通信自在に接続され、電話装置８には、前記コンピュータ上でＩＰ電話機能を起動させるためのスイッチ（図示せず）も搭載されている。
【００３０】
そして、図２に示す如く、前記超音波入力装置７は、矩形のスクリーン３の３〜４隅近傍から超音波を発信し、発信した超音波の反射波を受信する少なくとも３つの超音波発信受信器１０，１０…を備えている。
【００３１】
又、前記スクリーン３は、超音波発信受信装置７の超音波発信受信器１０，１０…から発信される超音波の外部への漏出を防ぐべく、スクリーン４の４辺近傍の外周略全周に及んで反射帯１１，１１…が形成されている。
【００３２】
更に、スクリーン３上で操作される前記入力用ペン６は、図３に示すように、先端部に超音波を反射する略半球状の硬質のゴム体１２を備えている。
【００３３】
尚、同図に於いて、１３は、赤外線を反射する反射体であり、入力用ペン６を赤外線が発信される図示しないディスプレイ上で入力装置として利用できるようにしたものであり、１４は、ポインターとして利用できるレーザーを発光させるレーザー発光ダイオードであり、１５は、レーザー発光ダイオード１４の電源であり、１６はレーザー発光ダイオード１４の発光をＯＮ、ＯＦＦさせるスイッチである。
【００３４】
而して、図２に於いて、少なくとも３つの前記超音波発信受信器１０，１０…から超音波が発信された状態で、前記ゴム体１２側を先端にして前記入力用ペン６をスクリーン３にタッチすると、或いは、タッチする直前まで近づけると、前記超音波発信受信器１０，１０…から発信される超音波が入力用ペン６の前記ゴム体１２によって矢印Ａ，Ａ，Ａの如く反射され、その反射した超音波が超音波発信受信器１０，１０…に受信される。
【００３５】
そして、少なくとも、３つの超音波発信受信器１０，１０…に受信される超音波によって、前記入力用ペン６のゴム体１２のスクリーン３上の位置を検知することができる。
【００３６】
これによって、入力用ペン６をパソコン等のマウス（図示せず）の如き入力装置として機能させることができる。
【００３７】
例えば、入力用ペン６を、スクリーン３にタッチすると、或いは、タッチする直前まで近づけると、マウスのクリックに相当する入力が可能となり、入力用ペン６で、スクリーン３にタッチし、或いは、タッチする直前まで近づけて、そのまま、スクリーン３上をスライドさせると、マウスのドラッグに相当する入力が可能となる。
【００３８】
図４に於いて、２１は前述したコンピュータであり、コンピュータ２１は、外部警報機器（図示せず）からの警報情報を受信する警報受信手段２２と、外部Ｗｅｂカメラ（図示せず）からの映像情報を受信する映像受信手段２３と、該外部Ｗｅｂカメラに姿勢制御信号を送信して外部Ｗｅｂカメラの姿勢制御を行うＷｅｂカメラ制御手段２４と、ＩＰ電話回線と接続して音声情報を送受信する電話送受信手段２５と、監視場所の住所、電話等の住所情報が記憶される記憶装置２６内の住所データベース２７と、警報に対応した対処マニュアル等の対処情報が記憶される記憶装置２６内の対処マニュアルデータベース２８とを備え、更に、前記警報受信手段２２により、警報発生場所、警報の種類等の警報情報を受信すると、警報情報に基づき、前記住所データベース２７から警報情報に関連する住所情報を抽出する住所情報抽出手段２９と、前記警報受信手段２２により警報情報を受信すると、警報情報に基づき、前記対処マニュアルデータベース２８から該警報情報に関連する対処情報を抽出する対処情報抽出手段３０とを備え、更に又、前記住所情報、前記対処情報、前記映像情報、外部Ｗｅｂカメラの姿勢制御画面、前記ＩＰ電話操作画面のうちの１つ又は複数を操作者（図１に於いて４）の選択により前記スクリーン３に表示させる表示選択手段３１とを備えている。
【００３９】
尚、表示選択手段３１は、スクリーン３上に機能選択画面を表示し、その中の任意の機能を操作者が選択する（クリックする）ことにより該当機能を起動させ、その画面を表示するものである。又、任意の機能の画面が表示される場合も、別ウインドウで機能選択画面の表示を残すことも可能であり、或いは、任意の機能の画面が表示される場合に、その画面内に他の機能選択のために他の機能のアイコンを表示させることも可能である。
【００４０】
又、同図に於いて、３２は、前記外部警報機器と前記警報受信手段２２、外部Ｗｅｂカメラと映像受信手段２３、外部ＷｅｂカメラとＷｅｂカメラ制御手段２４、及び、外部電話と電話送受信手段２５を夫々通信自在に接続する通信装置を概略的に示しており、実際には夫々の機能に応じた通信機器及び通信手段が備えられている。又、３３は、前記電話通信手段２５と前記電話装置８をブルーツースで接続する無線通信装置である。
【００４１】
更に、同図に於いて、３４は、監視対象のビルの電力量、温湿度等の設定情報及び履歴情報等を蓄積するＢＥＭＳデータベースであり、３５は、監視対象のビルの管理情報等を蓄積するＢＭＳデータベースであり、これらのデータベースは、他の検知手段等によって自動的に、又は、人手によって適宜データ蓄積され、そのデータ蓄積された情報は、自動的に、又は、操作者の選択によって適宜前記スクリーン３に表示させることができる。
【００４２】
而して、住所データベース２７には、外部警報機器、又は、外部Ｗｅｂカメラ等が設置された監視場所の住所、ビル名、電話等の住所情報が予め記憶され、前記対処マニュアルデータベース２８には、警報の種類に対応した対処マニュアル等の対処情報が予め記憶され、更に、それらは、人手によって、適宜、或いは、定期的に更新される。
【００４３】
そして、前記通信装置３２を介して、前記警報受信手段２２により例えば、警報の種類、警報の発生場所、警報の発生機器等を含む警報情報を受信すると、前記住所情報抽出手段２９が、警報情報に基づき、前記住所データベース２７から警報情報に関連する住所情報、例えば、住所、ビル名、顧客情報、電話、機器設置情報等を抽出する（ステップＳ１）。
【００４４】
又、同様に、前記対処情報抽出手段３０が、前記警報情報に基づき、前記対処マニュアルデータベース２８から警報情報に関連するマニュアル等を含む対処情報を抽出する（ステップＳ２）。
【００４５】
更に、前記映像受信手段２３が、前記警報情報に基づき、警報情報に関連する外部Ｗｅｂカメラの映像を選択して受信する。
【００４６】
抽出された情報、及び受信された映像は、予め設定された表示方法により、或いは、前記表示選択手段３１を介して操作者の選択により１つ又は複数選択されて、プロジェクター４に送信され、スクリーン３に表示される。
【００４７】
スクリーン３は、前記住所情報、前記対処情報、前記映像情報、外部Ｗｅｂカメラの姿勢制御画面、前記ＩＰ電話操作画面等のうちの１つ又は複数を表示する。
【００４８】
又、スクリーン３に表示された前記情報は、適宜、各種機能にリンクされており、その場合、前記入力用ペン６によって表示された情報を選択することにより、各種機能を起動させることもできる。
【００４９】
例えば、表示された電話番号を選択すると、直ちにその電話番号への通話を可能にする。
【００５０】
或いは、前記電話装置８のスイッチを入れることにより、前記無線通信装置３３及び前記電話送受信手段２５を介してＩＰ電話機能画面を立ち上げ、電話装置８による通話を可能にする。
【００５１】
又、前記Ｗｅｂカメラ制御手段２４は、受信される前記映像情報画面の一部に操作画面を表示し、その操作画面を前記入力用ペン６で操作することにより、Ｗｅｂカメラの撮影角度、焦点、ズーム倍率等を変化させて、カメラの姿勢を制御することができる。
【００５２】
斯くして、前記タスクテーブル１は、多数の監視情報を１つのスクリーン３画面上に選択的に表示でき、スクリーン３上で操作するため、表示画面上で迅速、且つ、正確な監視操作ができるタスクテーブルを提供できる。
【００５３】
又、前記タスクテーブル１は、テーブル本体２にプロジェクター４の投影によって映像を表示するスクリーン３を配設する構成であり、プロジェクター４とスクリーン３は、それほどスペースを必要としないためテーブルの自由度が広がり、テーブルを利用しやすくなり、又、テーブルを軽量、且つ、安価に製作できる利点がある。
【００５４】
又、前記超音波入力装置７は、少なくとも３つの超音波発信受信器１０，１０…を備えているので、スクリーン３上の入力用ペン６の入力位置を検知でき、スクリーン上での入力が可能となる。
【００５５】
更に、前記スクリーン３は、スクリーン３の外周の略全周に及んで反射帯が形成されているので、超音波の外部への漏出を防ぐことにより、スクリーン３上の入力用ペン６の入力位置を正確に検知できる。
【００５６】
更に又、前記入力用ペン６は、超音波を反射する略半球状のゴム体１２を備えているので、超音波を円滑に反射することができる。
【００５７】
そして、前記電話装置８は、ブルーツースを介してコンピュータ２１に無線接続されるので、電話装置８を携帯でき、電話装置８の通話可能移動範囲が拡大すると共に、利便性が高まる。
【００５８】
又、前記タスクテーブル１は、住所情報、対処情報、外部Ｗｅｂカメラから送信される映像情報、外部Ｗｅｂカメラの姿勢制御画面、ＩＰ電話操作画面のうちの１つ又は複数を操作者の選択によりスクリーン３に表示させる表示選択手段３１を備えたので、監視情報を選択切り替えながら、１つのスクリーン３上に１又は複数画面を表示でき、スクリーン３上で迅速な監視操作ができる。
【００５９】
図５は、前記スクリーン３と、プロジェクター（図１に於いて４）と、超音波入力装置７と、電話装置（図１に於いて８）と、コンピュータ（図４に於いて２１）とを備えた監視装置９を１組として、テーブル本体２に３組の監視装置９，９，９を備え、３組の監視装置９，９，９を備えたテーブル本体２を３組隣接させて構成した他のタスクテーブル４１を示している。
【００６０】
前記タスクテーブル４１によると、１人の操作者による３組の監視装置９，９，９の画面監視と、画面による監視操作が可能となり、３人の操作者による３組のテーブル本体２，２，２の画面監視と、画面による監視操作が可能となる。従って、３人の操作者により９組の監視装置９，９…の画面監視と、画面による監視操作が可能となる。尚、図に於いて、４２，４２…は操作者が腰掛ける椅子を示している。
【００６１】
斯くして、前記タスクテーブル４１は、多数の監視ポイントの多数の監視情報を効率的に監視でき、且つ、多数の監視ポイントに対する多数の監視操作が迅速に行える。
【図面の簡単な説明】
【００６２】
【図１】本発明のタスクテーブルの使用状態を示す正面図である。
【図２】本発明のタスクテーブルのスクリーン上に於ける入力用ペンによる入力状態を説明する平面図である。
【図３】（ａ）本発明のタスクテーブルに用いる入力用ペンの正面断面図である。（ｂ）本発明のタスクテーブルに用いる入力用ペンの側面図である。
【図４】本発明のコンピュータの説明図である。
【図５】本発明の他のタスクテーブルの説明図である。
【符号の説明】
【００６３】
１，４１  タスクテーブル
２  テーブル本体
３  スクリーン
４  プロジェクター
６  入力用ペン
７  超音波入力装置
８  電話装置
９  監視装置
１０  超音波発信受信器
１１  反射帯
１２  ゴム体
２１  コンピュータ
２２  警報受信手段
２３  映像受信手段
２４  Ｗｅｂカメラ制御手段
２５  電話送受信手段
２７  住所データベース
２８  対処マニュアルデータベース
２９  住所情報抽出手段
３０  対処情報抽出手段
３１  表示選択手段
【図１】
2006343910.tif 000003
【図２】
2006343910.tif 000004
【図３】
2006343910.tif 000005
【図４】
2006343910.tif 000006
【図５】
2006343910.tif 000007